(57)【要約】本発明は、円筒状接点加圧ばね１５を含む可動接点ホルダー１０、軸Ｘに沿って移動する摺動部材２０及び２つの可動接点４１を支持する可動ブリッジ３０から構成された電気スイッチ装置中の接点断続装置に関する。可動ブリッジ３０は中央開口部３３を有しており、ここに摺動部材２０に所属してこの摺動部材２０を可動ブリッジ３０上に挟持することのできる外方ピン３４が設けられた２つの突出部２２が挿入される。可動ブリッジ３０上に係止するばね１５の端部１６が摺動部材２０の側方端部２５上に固定されたフランジ２８によって正しい位置に保持されるとともに、摺動部材２０の突出部２２によって心合わせされている。
2004508677.tif 000002
【特許請求の範囲】
【請求項１】
接点加圧ばね（１５）と、作動位置と休止位置間の長軸（Ｘ）に沿って移動する摺動部材（２０）と、２つの可動接点（４１）を支持する上面（３２）と対向する下面（３１）を有する可動ブリッジ（３０）とを含む可動接点ホルダー（１０）を備えた電気スイッチ装置の接点の断続装置において、
前記可動ブリッジ（３０）が中央開口部（３３）を有し、この開口部に前記摺動部材（２０）を可動ブリッジ（３０）上に挟持する摺動部材（２０）の少なくとも１つの突出部（２２）が挿入され、前記接点加圧ばね（１５）が前記可動ブリッジ（３０）の前記下面（３１）に係止される第１端（１６）を有していることを特徴とする断続装置。
【請求項２】
挟持する手段が少なくとも１つの外方ピン（３４）からなり、前記摺動部材（２０）が前記可動ブリッジ（３０）上に挟持されたときに、前記摺動部材（２０）の少なくとも１つの突出部（２２）が可動ブリッジ（３０）の前記下面（３１）上に支持されることを特徴とする請求項１に記載の断続装置。
【請求項３】
前記摺動部材（２０）が、各々外方ピン（３４）を含む２つの突出部（２２）を有していることを特徴とする請求項２に記載の断続装置。
【請求項４】
前記摺動部材（２０）の前記２つの突出部（２２）が摺動部材内の中央溝（２３）によって分離され、ある一定の弾力性を前記突出部（２２）の前記外方ピン（３４）に対して、前記摺動部材（２０）の長軸（Ｘ）とほぼ垂直な方向に与えるのに十分であることを特徴とする請求項３に記載の断続装置。
【請求項５】
前記摺動部材（２０）が前記可動ブリッジ（３０）を停止する停止手段を有し、前記可動ブリッジ（３０）の前記側面（３５）の回りに固定された前記上面（３２）と共動する前記摺動部材（２０）の保持面（２６）を含むことを特徴とする請求項３に記載の断続装置。
【請求項６】
前記接点加圧ばね（１５）がほぼ円筒状をなし、前記第１端（１６）と対向する第２端（１７）を有するとともにスイッチ装置のベース（１２）上に係止されていることを特徴とする請求項３に記載の断続装置。
【請求項７】
前記接点加圧ばね（１５）の前記第１端（１６）が前記摺動部材（２０）の前記側方端部（２５）上に固定されたフランジ（２８）によって所定の位置に保持されていることを特徴とする請求項６に記載の断続装置。
【請求項８】
前記接点加圧ばね（１５）の前記第１端（１６）が前記摺動部材（２０）の前記突出部（２２）によって心合わせされていることを特徴とする請求項７に記載の断続装置。
【請求項９】
前記摺動部材（２０）上に配置された挟持手段と停止手段が、前記可動ブリッジ（３０）を前記接点加圧ばね（１５）に対する前記摺動部材（２０）との十分な遊び関係を残し、均一で同期の圧力を発生し、スイッチ装置の対応する２つの前記固定接点（４２）に抗して前記可動ブリッジ（３０）の２つの前記可動接点（４１）を保持することを特徴とする請求項５に記載の断続装置。
【請求項１０】
請求項１から９のいずれか１つに記載の少なくとも１つの断続装置を含む電気スイッチ装置。
【発明の詳細な説明】
【０００１】
本発明は、可動接点を支持する可動ブリッジ上に挟持された摺動部材を備えた可動接点ホルダーを含む遮断器、接触器、スイッチ又は断路器のような電気スイッチ装置の接点の断続装置に関する。本発明はさらに少なくとも１つのこの種の断続装置を備えた電気装置に関する。
【０００２】
この種の電気装置において、接点断続装置は可動接点ホルダーからなり、通常係止位置と作動位置間の軸に沿って移動する摺動部材から構成される。この摺動部材は電気的な故障の場合に磁気的及び／又は熱的引き外し機構による手動機構によって制御することができる。その機能は可動接点を支持する可動ブリッジを機械的に変位することである。この変位は係止位置に対応する可動接点と固定接点を分離させることになる。作動位置において、可動接点は通常接点加圧ばねによって固定接点に抗して保持されている。
【０００３】
スイッチ装置接点はＤＥ１９８１８０５８号明細書に開示されている。これは摺動部材を含み、その可動接点ブリッジは接点ばねによって摺動部材内の開口部に保持されている。しかし、摺動部材にはこれを接点ばねなしに可動ブリッジ上に取り付ける特定手段は何も設けられていない。
【０００４】
さらに、機械的検出装置ないしリミットスイッチに関する米国特許第４１５４９９６号明細書において、可動ブリッジは可動ブリッジ内の中央開口部によってピストン（又は摺動部材）内に挟持されている。しかし、固定接点上の可動ブリッジの接点加圧はこの挟持によって伝達されるだけで、この対策は遮断器、接触器又は断路器のようなスイッチ装置には適さず、接点間に流れる電流が検出装置内に流れる電流よりもずっと大きくなる見込みである。実際に、使用周期の終了時点で挟持部材に摩耗遊びがあれば、接点の開閉中に径路を形成する危険性がり、電気接点が接点に真の圧力を発生できず、本発明に開示された使用としては、特に融解の危険性のために使いものにならなくなる。
【０００５】
本発明の目的は可動ブリッジ上に摺動部材を取付けるための簡単な解決策を提供し、このような断続装置の寸法を小さくすると同時に、接点加圧ばねをできるだけ大きく保ちばねの適切な作用を保証する。取り付けには、可動接点間に正しく分離される接点加圧が得られるのに十分な柔軟性がなければならない。
【０００６】
この目的のために、本発明は接点加圧ばねと動作位置と係止位置間の長軸に沿って移動する摺動部材と２つの可動接点を支持する下面及び上面を有する可動ブリッジとを含む可動接点ホルダーを備えたスイッチ装置の断続装置を提供する。断続装置の特定の特徴は、可動ブリッジが中央開口部を有し、この開口部に摺動部材に属する少なくとも１つの突出部が挿入され、摺動部材を可動ブリッジ上に挟持する挟持手段を含む。別の特徴は接点加圧ばねが、可動ブリッジの下面上に係止する第１端を有していることである。
【０００７】
摺動部材は可動ブリッジを停止する停止手段を有しており、可動ブリッジの上面と共動する摺動部材を保持する面と、可動ブリッジの側面の回りに固定された摺動部材上の側端からなる。挟持手段と停止手段は、可動ブリッジを摺動部材の長軸に対してほぼ垂直方向に十分な遊びを許容するように構成されており、これによって作動位置において接点加圧ばねが可動ブリッジの可動接点をスイッチ装置の対応する固定接点に抗して保持させる圧力を発することができる。
【０００８】
他の特徴及び利点は、一例として取り上げた添付図面によって表わした本発明の実施形態を参照して次の詳細な説明から理解できるであろう。
【０００９】
図１と４を参照すれば分かるように、本発明で説明される接点の断続装置は可動接点ホルダー１０を含んでおり、長軸Ｘに沿って作動位置と係止位置間を変移できる摺動部材２０と、長軸Ｘに対してほぼ垂直をなす横軸Ｗに沿って配置され、下面３１と上面３２と側面３５とを含む可動ブリッジ３０と、ほぼ円筒状をなし、可動ブリッジ３０の下面３１上に係止する第１端１６とスイッチ装置のベース１２上に係止する第２対向端１７を備えた接点加圧ばね１５と、摺動部材２０の各側部で可動ブリッジ３０の上面３２上に取り付けられた２つの可動接点４１とからなる。
【００１０】
作動位置において、可動接点４１は接点加圧ばね１５によってスイッチ装置の対応固定接点４２に抗して直接保持される。係止位置において、可動接点４１は可動ブリッジ３０に機械的に固定された摺動部材２０によって固定接点４２から分離される。
【００１１】
図示の実施形態において、摺動部材２０は可動ブリッジ３０をこの摺動部材２０上に取り付けることのできる種々の要素を備えた下方部材２１を含む。この下方部材２１は可動ブリッジ上の摺動部材に挟持手段を備えた少なくとも１つの突出部２２を含む。好ましい実施形態において、これらの挟持手段は少なくとも１つの外方ピン３４からなる。
【００１２】
図１と４を参照すれば分かるように、摺動部材２０の下方部材２１は２つの突出部２２からなり、それらの対向外面２７には各々外方ピン３４が設けられている。これらの外面２７の下方部材は丸みが付けられたエッジになっている。２つの突出部２２は摺動部材２０内に作られた中央溝２３によって分離されている。摺動部材は中央溝２３が、長軸Ｘに対してほぼ垂直をなす方向に突出部２２の外方ピン３４に弾力性を持たせるのに十分な絶縁プラスチック材料から作られるのが好ましい。
【００１３】
可動ブリッジ３０は長方形が好ましい中央開口部３３を含む。可動ブリッジ３０を摺動部材２０に取り付けるために、摺動部材の突出部２２が可動ブリッジ３０の中央開口部３３に挿入される。この挿入中、外方ピン３４を強制的に相互に接近するように、ピンが可動ブリッジ３０の下面３１の下にくるまで、突出部２２の外壁２７の丸いエッジが中央開口部３３のエッジに抗して押し込まれる。２つの突出部２２の弾力性がこれらをその初期位置に戻すとともに外方ピン３４が下面３１に抗して支持され、これによって可動ブリッジ３０と摺動部材２０が互いにロックされる。従って、取り付け動作が非常に簡単であり、いかなる付加的な部材も必要とせず、迅速、かつ、経済的に実行することができる。
【００１４】
摺動部材も可動ブリッジ３０を停止させ、その正しい位置を保持することを保証する手段を有している。図５を参照すれば分かるように、これらの停止手段は可動ブリッジ３０の上面３２と共動する摺動部材２０に固定された内部保持面２６からなり、作動位置から係止位置に変化したときにこの保持面２６が可動ブリッジ３０を長軸Ｘに沿って駆動するようになっている。端部停止部材も摺動部材の下方部材２１上に配置された側方端部２５からなり、可動ブリッジ３０の側面３５の回りに固定されてブリッジを横軸Ｚに沿って正しい位置に保持する（図３及び５参照）。
【００１５】
図３を参照すれば分かるように、摺動部材２０の下方部材２１は四つの側方端部２５、すなわち、横軸Ｚに沿った各側方の端部を含み、同じ側方上の各端部は中央溝２３によって分割されている。摺動部材が変位したときは、側方端部２５は可動ブリッジ３０と摺動部材２０間で機械的作用を確立しないので、これらの側方端部２５のサイズは、工業的製造における鋳造と機械仕上げ条件と矛盾せず、かつ、法律上の条件（約０．５ｍｍの側方端部２５の厚みが一般的に十分とされる）と矛盾することなく最小に減じることができる。これが接点の全寸法を減じるとともにスイッチ装置の寸法を適切にする利点となる。
【００１６】
接点加圧ばね１５は、固定接点４２と作動位置にある可動接点４１間に十分な接点力を発生するようにして可動ブリッジ３０（下面３１を介して）上に直接係止する。従って、挟持装置は接点の圧力中のどの部分にも遊びがなく、装置の長期使用期間により、またこれらの挟持装置上にある遊びが発生しがちになる摩耗と引き裂きが、接点加圧の品質に影響を与えることはない。ばね１５の抵抗性を改善し、効率を改善するために、接点加圧ばね１５の一部ができるだけ大きくなければならず、またばね１５はらせん形状よりも円筒状であるのが好ましい。この理由で、ばね１５の第１端１６は図５に示すように摺動部材２０の各側方端部２５に固定されたフランジ２８によって正しい位置に保持されている。これらのフランジ２８はできるかぎり細く、従って、相当な円形部分がばね１５となり、これによって摺動部材の全体寸法を損なうことなしに、接点加圧ばね１５が円筒状となる。さらに、ばね１５のより優れた安定性のために、摺動部材２０の突出部２２には、ばね１５の第１端１６が可動ブリッジ３０に対して心合わせされることを保証する簡単な手段が設けられる。これは、第１端１６がこれらの突出部２２の外壁２７に抗して保持されているためである。
【００１７】
摺動部材２０上の挟持手段が重要な特徴を有し、すなわち、ばね１５の作用とは関係なく可動ブリッジ３０が外方ピン３４と保持面２６間に遊びができるようにして配備されている。この遊びは摺動部材２０の長軸Ｘにほぼ沿って生じる。作動位置において、ばね１５が十分な圧力を可動ブリッジ３０に発生させて可動ブリッジ３０の２つの可動接点４１を保持すると同時に、対応する２つの固定接点４２に抗して均一に保持する。実際に、固定接点４２又は可動接点４１の並び又は厚みが正確に同じでなければ、摺動部材２０上に強固に取付けられた可動ブリッジ３０は、二対の接点４１、４２を完全に同時に、また同じ力で開閉せしめることができず、従って、欠陥のある電気接点となるか、又は接点の急速な劣化につながる。この遊びのお陰で、可動ブリッジ３０は接点の不備を修正し、かつ、接点が同じ圧力で閉し、同時に開することを保証するような方法で、その横軸Ｗに対して一方側又は他方側にわずかに傾斜できる。これが断続装置の集中的使用後に時間超過が発生する接点の加熱、融解ないし劣化の危険性を回避する。
【００１８】
等価手段の使用を含んだ細部にわたる他の変形例及び改良ももちろん考えられるが、それらはなお、本発明の構想内にある。
【図面の簡単な説明】
【図１】
摺動部材、２つの可動接点及び接点加圧ばねを支持する可動ブリッジを備えた可動接点ホルダーの平面図。
【図２】
正面から見た同じ可動接点ホルダーを示す図。
【図３】
底面から見た同じ可動接点ホルダーを示す図。
【図４】
Ｙ−Ｙ平面に基づく断面で示す可動接点ホルダーを示す図。
【図５】
Ｘ−Ｘ平面に基づく断面で示す可動接点ホルダーを示す図。
【図６】
本発明に基づく作動位置にある接点断続装置を示す図。
【国際公開パンフレット】
2004508677.tif 000003
2004508677.tif 000004
2004508677.tif 000005
2004508677.tif 000006
2004508677.tif 000007
2004508677.tif 000008
2004508677.tif 000009
2004508677.tif 000010
2004508677.tif 000011
2004508677.tif 000012
2004508677.tif 000013
2004508677.tif 000014
【国際調査報告】
2004508677.tif 000015
2004508677.tif 000016
2004508677.tif 000017
2004508677.tif 000018
2004508677.tif 000019
2004508677.tif 000020